【手続補正書】
【提出日】令和3年4月6日(2021.4.6)
【手続補正１】
【補正対象書類名】明細書
【補正対象項目名】０１０１
【補正方法】変更
【補正の内容】
【０１０１】
一つのプロセッサを用いて複数の処理部を構成する他の例として、複数の処理部を含むシステム全体の機能を一つのＩＣチップを用いて実現するプロセッサを使用する形態が挙げられる。
【手続補正２】
【補正対象書類名】明細書
【補正対象項目名】０１１０
【補正方法】変更
【補正の内容】
【０１１０】
オブジェクト抽出工程Ｓ１４では、図１に示すオブジェクト抽出部１４は、規定の被写体が撮像装置３０のフォーカス領域に入ったか否かを判定する。オブジェクト抽出工程Ｓ１４において、オブジェクト抽出部１４が規定の被写体が撮像装置３０のフォーカス領域に入っていないと判定した場合はＮｏ判定となる。Ｎｏ判定の場合、画像処理方法の手順は撮像終了判定工程Ｓ２８へ進む。
【手続補正３】
【補正対象書類名】明細書
【補正対象項目名】０１１９
【補正方法】変更
【補正の内容】
【０１１９】
合成画像記憶判定工程Ｓ２４において、画像処理システム１０が表示部２４へ合成画像が表示されたタイミングからスマートフォン１０Ａの撮像ボタンが操作されず、一定期間が経過したと判定された場合はＮｏ判定となる。Ｎｏ判定の場合、画像処理方法の手順はオブジェクト抽出工程Ｓ１４へ進む。以下、合成画像記憶判定工程Ｓ２４においてＹｅｓ判定となるまで、オブジェクト抽出工程Ｓ１４から合成画像記憶判定工程Ｓ２４までの各工程が繰り返し実施される。
【手続補正４】
【補正対象書類名】明細書
【補正対象項目名】０１２１
【補正方法】変更
【補正の内容】
【０１２１】
合成画像記憶工程Ｓ２６では、合成部２０は合成画像５２を合成画像記憶部２６へ記憶する。合成画像記憶工程Ｓ２６の後に画像処理方法の手順は撮像終了判定工程Ｓ２８へ進む。
【手続補正５】
【補正対象書類名】明細書
【補正対象項目名】０１２２
【補正方法】変更
【補正の内容】
【０１２２】
撮像終了判定工程Ｓ２８では、画像処理システム１０は撮像を終了するか否かを判定する。撮像終了判定工程Ｓ２８において画像処理システム１０が撮像を終了しないと判定した場合はＮｏ判定となる。Ｎｏ判定の場合、画像処理方法の手順はオブジェクト抽出工程Ｓ１４へ進み、撮像終了判定工程Ｓ２８においてＹｅｓ判定となるまで、オブジェクト抽出工程Ｓ１４から撮像終了判定工程Ｓ２８の各工程を繰り返し実施する。
【手続補正６】
【補正対象書類名】明細書
【補正対象項目名】０１２３
【補正方法】変更
【補正の内容】
【０１２３】
一方、撮像終了判定工程Ｓ２８において画像処理システム１０が撮像を終了すると判定した場合はＹｅｓ判定となる。Ｙｅｓ判定の場合は、画像処理システム１０は画像処理方法を終了する。
【手続補正７】
【補正対象書類名】明細書
【補正対象項目名】０１６５
【補正方法】変更
【補正の内容】
【０１６５】
印刷判定工程Ｓ１１２では、印刷部１３８は印刷指示信号を取得したか否かを判定する。印刷判定工程Ｓ１１２において印刷部１３８が印刷指示信号を取得しないと判定された場合はＮｏ判定となる。Ｎｏ判定の場合、画像処理方法の手順は終了判定工程Ｓ１１６へ進む。
【手続補正８】
【補正対象書類名】明細書
【補正対象項目名】０１６７
【補正方法】変更
【補正の内容】
【０１６７】
一方、印刷判定工程Ｓ１１２において、印刷部１３８が印刷指示信号を取得したと判定された場合はＹｅｓ判定となる。Ｙｅｓ判定の場合、画像処理方法の手順は合成画像印刷工程Ｓ１１４へ進む。印刷判定工程Ｓ１１２において印刷部１３８が印刷指示信号を取得したと判定する例として、表示部１３６に表示した、印刷を実施することを選択するボタンが操作された場合が挙げられる。
【手続補正９】
【補正対象書類名】明細書
【補正対象項目名】０２３８
【補正方法】変更
【補正の内容】
【０２３８】
第三具体例に係る合成画像５２Ｅは、画像５０Ｅの雰囲気を損なうことなく、オブジェクト４２Ｅに関連する漢字列４４Ｅを楽しむことが可能となる。
【手続補正１０】
【補正対象書類名】明細書
【補正対象項目名】０２３９
【補正方法】変更
【補正の内容】
【０２３９】
〔第四具体例〕
図１７は第四具体例に係る合成画像の説明図である。同図に示す合成画像５２Ｆは、東京駅の駅舎を写した画像５０Ｆが適用される。合成画像５２Ｆは、画像５０Ｆに対して、オブジェクト４２Ｆとして抽出された東京駅の駅舎に関連する東京という二文字の単語が、漢字列４４Ｆとして合成される。また、合成画像５２Ｆは、画像５０Ｆに対して、東京という漢字列４４Ｆに関連する＃ｔｏｋｙｏがハッシュタグ４６Ｆとして合成される。
【手続補正１１】
【補正対象書類名】明細書
【補正対象項目名】０２６３
【補正方法】変更
【補正の内容】
【０２６３】
〔第十一具体例〕
図２４は第十一具体例に係る合成画像の説明図である。同図に示す合成画像５２Ｍは、ポストに座った人物を写した画像と日中の繁華街の風景を写した画像とを合成した画像５０Ｍが適用される。合成画像５２Ｍは、画像５０Ｍに対して、オブジェクト４２Ｍとして抽出された人物に関連する忍という単語が、漢字列４４Ｍとして合成される。また、合成画像５２Ｍは、画像５０Ｍに対して、忍という漢字列４４Ｍの意味に関連する＃ｎｉｎｊａがハッシュタグ４６Ｍとして合成される。
【手続補正１２】
【補正対象書類名】明細書
【補正対象項目名】０２６４
【補正方法】変更
【補正の内容】
【０２６４】
合成画像５２Ｍは、画像５０Ｅに対して、図１６に示す第三模様６０と同様の第四模様７２が合成画像５２Ｍの下縁に合成される。
【手続補正１３】
【補正対象書類名】明細書
【補正対象項目名】０２６５
【補正方法】変更
【補正の内容】
【０２６５】
合成画像５２Ｍは、画像５０Ｍを構成するポストに座った人物が漢字列４４Ｍの最前面とされ、画像５０Ｍを構成する日中の繁華街の風景が合成画像５２Ｍにおける最背面とされる。
【手続補正１４】
【補正対象書類名】明細書
【補正対象項目名】０２６６
【補正方法】変更
【補正の内容】
【０２６６】
第十一具体例に係る合成画像５２Ｍは、画像５０Ｍとして二つの画像を合成した画像が適用され、二つの画像の一方が最前面とされ、他方が最背面とされる。このようにして、様々な画像を合成して、漢字を楽しむことが可能である。
【手続補正１５】
【補正対象書類名】明細書
【補正対象項目名】０２６７
【補正方法】変更
【補正の内容】
【０２６７】
〔第十二具体例〕
図２５は第十二具体例に係る合成画像の説明図である。同図に示す合成画像５２Ｎは、参道を歩く人物を写した画像５０Ｎが適用される。合成画像５２Ｎは、画像５０Ｎに対して、オブジェクト４２Ｎとして抽出された参道を歩く人物に関連する歩という単語が、漢字列４４Ｎとして合成される。また、合成画像５２Ｎは、画像５０Ｎに対して、歩という漢字列４４Ｎの意味に関連する＃ｗａｌｋｉｎｇがハッシュタグ４６Ｎとして合成される。
【手続補正１６】
【補正対象書類名】明細書
【補正対象項目名】０２７２
【補正方法】変更
【補正の内容】
【０２７２】
第一三具体例に係る合成画像５２Ｐは、オブジェクト４２Ｐの顔を避けて、複数の漢字列４４Ｐが配置される。これにより、オブジェクト４２Ｐと漢字列４４Ｐとの一体感が表現される。また、漢字列４４Ｐに対して第五模様７４及び第六模様７６を重畳させる。これにより、デザイン性に優れた漢字列４４Ｐの適用が可能となる。
【手続補正１７】
【補正対象書類名】図面
【補正対象項目名】図７
【補正方法】変更
【補正の内容】
【図７】
2020160744.tif 000001